(57)【特許請求の範囲】
【請求項１】
少なくとも界面活性剤を付着させた繊維を用いた清掃用物品において、前記界面活性剤は、
炭素数が５〜１５の脂肪酸のポリオキシエチレン（ＰＯＥ）モノエステルを質量比で４５〜７６％含み、
残りとして、炭素数が１６〜２２の飽和脂肪酸のＰＯＥモノエステル、炭素数が１６〜２２の不飽和脂肪酸のＰＯＥモノエステル、炭素数が１６〜２２の不飽和脂肪酸のＰＯＥジエステル、炭素数が１２〜１５の飽和脂肪酸のＰＯＥジエステルから選ばれる１種以上を含む混合物であることを特徴とする清掃用物品。
【請求項２】
前記界面活性剤は、炭素数が５〜１５の脂肪酸のＰＯＥモノエステルを質量比で４８〜７６％含み、
残りとして、炭素数が１６〜２０の飽和脂肪酸のＰＯＥモノエステル、炭素数が１８〜２２の不飽和脂肪酸のＰＯＥモノエステル、炭素数が１８〜２２の不飽和脂肪酸のＰＯＥジエステルから選ばれる１種以上を含む混合物である請求項１記載の清掃用物品。
【請求項３】
前記界面活性剤は、炭素数が５〜１５の脂肪酸のＰＯＥモノエステルを質量比で４８〜７６％含み、
残りとして、炭素数が１６〜２０の飽和脂肪酸のＰＯＥモノエステル、炭素数が１８〜２２の不飽和脂肪酸のＰＯＥモノエステル、炭素数が１２〜１５の飽和脂肪酸のＰＯＥジエステルから選ばれる１種以上を含む混合物である請求項１記載の清掃用物品。
【請求項４】
前記界面活性剤は、炭素数が５〜１５の脂肪酸のＰＯＥモノエステルを質量比で４５〜７２％含み、
残りとして、炭素数が１６〜２０の飽和脂肪酸のＰＯＥモノエステルと、炭素数が１８〜２２の不飽和脂肪酸のＰＯＥジエステルから選ばれる１種以上を含む混合物である請求項１記載の清掃用物品。
【請求項５】
前記炭素数が５〜１５の脂肪酸のＰＯＥモノエステルが質量比で４８〜６８％含まれる請求項１、２、３のいずれかに記載の清掃用物品。
【請求項６】
前記炭素数が５〜１５の脂肪酸のＰＯＥモノエステルが質量比で４５〜６４％含まれる請求項１または４記載の清掃用物品。
【請求項７】
炭素数が１８〜２２の不飽和脂肪酸のＰＯＥジエステルが、質量比で５〜４０％含まれる請求項１、２、４のいずれかに記載の清掃用物品。
【請求項８】
炭素数が１２〜１５の飽和脂肪酸のＰＯＥジエステルが、質量比で５〜４０％含まれる請求項１または３記載の清掃用物品。
【請求項９】
前記界面活性剤は、炭素数が５〜１５の脂肪酸のＰＯＥモノエステルを質量比で７５〜８５％含み、残りの成分が炭素数１６〜２２の脂肪酸のＰＯＥエステルである界面活性剤の混合物に、炭素数が１６〜２２の不飽和脂肪酸のＰＯＥジエステルが質量比で５〜４０％混合されたものである請求項１，２，４のいずれかに記載の清掃用物品。
【請求項１０】
前記界面活性剤は、炭素数が５〜１５の脂肪酸のＰＯＥモノエステルを質量比で５０〜７０％含み、残りが、炭素数が１８〜２２の不飽和脂肪酸のＰＯＥジエステルの混合物である請求項１記載の清掃用物品。
【請求項１１】
前記炭素数が５〜１５の脂肪酸のＰＯＥモノエステルの、前記脂肪酸が飽和脂肪酸である請求項１ないし１０のいずれかに記載の清掃用物品。
【請求項１２】
前記不飽和脂肪酸がオレイン酸である請求項１ないし１１のいずれかに記載の清掃用物品。
【請求項１３】
前記ＰＯＥ脂肪酸モノエステルおよびＰＯＥ脂肪酸ジエステルのエチレンオキシドの付加モル数が２〜５０である請求項１ないし１２のいずれかに記載の清掃用物品。
【請求項１４】
前記繊維の質量に対する前記界面活性剤の質量の比が０．１％以上で１．５％以下である請求項１ないし１３のいずれかに記載の清掃用物品。
【請求項１５】
前記繊維は、ポリエステル、ポリエチレン、ポリプロピレンから選択される１または２種以上の樹脂で形成されている請求項１ないし１４のいずれかに記載の清掃用物品。
【発明の詳細な説明】
【０００１】
【発明の属する技術分野】
本発明は、例えば拭き取り式の清掃用物品に係り、特に静電気によるほこりの吸着能力を向上させた清掃用物品に関する。
【０００２】
【従来の技術】
従来、室内清掃用として使用される清掃用物品としては、例えば繊維を不織布などのシート状に形成したものを清掃用具に取り付けて使用するもの、または前記繊維を紐状にしたものを清掃面に配置したもの、さらには繊維そのものを清掃面に露出させて繊維で埃を絡み取るものなどがある。
【０００３】
前記繊維の紡糸工程や延伸、捲縮付与、乾燥等の製造工程、さらには前記繊維を用いて清掃用物品を製造する工程で、繊維が帯電すると、繊維が製造ラインに付着したり、または繊維から製造ラインの金属部分に放電が起るなどして生産に支障が生じる。そのため、通常は繊維の紡糸工程において、繊維に静電気の発生を防止する帯電防止剤を付着させ、その後に清掃用物品の生産ラインに送るようにしている。
【０００４】
従来、この帯電防止剤として、例えばアニオン系やカチオン系などのイオン性の界面活性剤が主に使用されている。前記界面活性剤を用いることで、繊維の表面を平滑化させて摩擦による帯電を生じにくくし、また繊維表面に吸湿性を持たせて、繊維表面で電子の自由移動を許容することで帯電を防止できるようにしている。
【０００５】
【発明が解決しようとする課題】
しかし、帯電防止効果の高い前記イオン性の界面活性剤などを繊維に付着させると、前記のように生産ラインでの帯電による問題を解消できるが、清掃用物品として使用するときに、例えば床などを拭くときの摩擦で繊維が帯電しにくいために、塵、埃、髪の毛など細かなゴミを静電気によって繊維に吸着させることができない。
【０００６】
そこで、従来は、清掃用物品が製造された後に、前記清掃用部品の清掃面に、流動パラフィン、パラフィンワックス、接着性樹脂などを付着させ、前記パラフィンなどの粘着力で前記塵や埃を吸着するようにして、清掃効果を高めているのが一般的である。しかし、前記流動パラフィンなどはべたつきがあるため、床や家具、さらにはガラスなどの清掃対象物を清掃したときに、前記清掃対象物に前記流動パラフィンなどが付着して、清掃対象物の表面が汚れる問題が生じている。
【０００７】
さらに、界面活性剤が塗布された繊維の表面が平滑すぎる状態であると、繊維を紡糸した後に繊維を集束させてＴＯＷ（トウ）を形成する際に、繊維どうしの集束性が低下するおそれがある。その結果前記ＴＯＷに捲縮を与える工程などにおいて繊維がばらついて、各繊維に均一な捲縮を与えることが困難となったり、清掃用物品の製造ラインの初段においてＴＯＷを搬送しているときに、繊維がばらけるなどの問題が生じる。
【０００８】
本発明は上記従来の課題を解決するものであり、生産ラインでは繊維が過剰に帯電することがなく、しかも製品としては静電気により塵や埃などを吸着する効果を発揮できる清掃用物品を提供することを目的とする。
【０００９】
また本発明は、製造ラインでの繊維の集束性に支障がなく、且つ生産ラインでの繊維の帯電を防止し、さらに使用時に適度な帯電状態にできる清掃用物品を提供することを目的としている。
【００１０】
【課題を解決するための手段】
本発明は、少なくとも界面活性剤を付着させた繊維を用いた清掃用物品において、前記界面活性剤は、
炭素数が５〜１５の脂肪酸のポリオキシエチレン（ＰＯＥ）モノエステルを質量比で４５〜７６％含み、
残りとして、炭素数が１６〜２２の飽和脂肪酸のＰＯＥモノエステル、炭素数が１６〜２２の不飽和脂肪酸のＰＯＥモノエステル、炭素数が１６〜２２の不飽和脂肪酸のＰＯＥジエステル、炭素数が１２〜１５の飽和脂肪酸のＰＯＥジエステルから選ばれる１種以上を含む混合物であることを特徴とするものである。
【００１１】
例えば、前記界面活性剤は、炭素数が５〜１５の脂肪酸のＰＯＥモノエステルを質量比で４８〜７６％含み、
残りとして、炭素数が１６〜２０の飽和脂肪酸のＰＯＥモノエステル、炭素数が１８〜２２の不飽和脂肪酸のＰＯＥモノエステル、炭素数が１８〜２２の不飽和脂肪酸のＰＯＥジエステルから選ばれる１種以上を含む混合物である。
【００１２】
あるいは、前記界面活性剤は、炭素数が５〜１５の脂肪酸のＰＯＥモノエステルを質量比で４８〜７６％含み、
残りとして、炭素数が１６〜２０の飽和脂肪酸のＰＯＥモノエステル、炭素数が１８〜２２の不飽和脂肪酸のＰＯＥモノエステル、炭素数が１２〜１５の飽和脂肪酸のＰＯＥジエステルから選ばれる１種以上を含む混合物である。
【００１３】
または、前記界面活性剤は、炭素数が５〜１５の脂肪酸のＰＯＥモノエステルを質量比で４５〜７２％含み、
残りとして、炭素数が１６〜２０の飽和脂肪酸のＰＯＥモノエステルと、炭素数が１８〜２２の不飽和脂肪酸のＰＯＥジエステルから選ばれる１種以上を含む混合物である。
【００１４】
また、前記において、前記炭素数が５〜１５の脂肪酸のＰＯＥモノエステルが質量比で４８〜６８％含まれ、あるいは前記炭素数が５〜１５の脂肪酸のＰＯＥモノエステルが質量比で４５〜６４％含まれることが好ましい。
【００１５】
また、炭素数が１８〜２２の不飽和脂肪酸のＰＯＥジエステルが、質量比で５〜４０％含まれ、または、炭素数が１２〜１５の飽和脂肪酸のＰＯＥジエステルが、質量比で５〜４０％含まれることが好ましい。
【００１６】
そして、前記界面活性剤は、炭素数が５〜１５の脂肪酸のＰＯＥモノエステルを質量比で７５〜８５％含み、残りの成分が炭素数１６〜２２の脂肪酸のＰＯＥエステルである界面活性剤の混合物に、炭素数が１６〜２２の不飽和脂肪酸のＰＯＥジエステルが質量比で５〜４０％混合されたものとして構成できる。
【００１７】
また、前記において、前記界面活性剤は、炭素数が５〜１５の脂肪酸のＰＯＥモノエステルを質量比で５０〜７０％含み、残りが、炭素数が１８〜２２の不飽和脂肪酸のＰＯＥジエステルの混合物であってもよい。
【００１８】
前記において、前記炭素数が５〜１５の脂肪酸のＰＯＥモノエステルの、前記脂肪酸が飽和脂肪酸であることが好ましく、前記不飽和脂肪酸がオレイン酸であることが好ましい。
【００１９】
また、前記ＰＯＥ脂肪酸モノエステルおよびＰＯＥ脂肪酸ジエステルのエチレンオキシドの付加モル数が２〜５０であることが好ましい。
【００２０】
さらに、前記繊維の質量に対する前記界面活性剤の質量の比が０．１％以上で１．５％以下であることが好ましい。
【００２１】
なお、前記繊維は、ポリエステル、ポリエチレン、ポリプロピレンから選択される１または２種以上の樹脂で形成されているものである。
【００２２】
【発明の実施の形態】
図１（Ａ）（Ｂ）は本発明の清掃用物品の斜視図であり、（Ｂ）は（Ａ）の部分拡大図である。図２は本発明の清掃用物品を清掃用具に取付けた状態の一例を示す斜視図である。
【００２３】
図１（Ａ）（Ｂ）に示す清掃用物品１は、表裏両面が清掃面となっており、熱融着可能な繊維で形成された基材シート２の表裏両面に、ＴＯＷ（トウ）から開繊された熱融着可能な長繊維の層３がｘ方向に延びて重ねられている。そして、ｘ方向と交差するｙ方向に延びる接合線４で、基材シート２と、長繊維の層３とが一体に接合されている。ｘ方向において隣り合う接合線４と接合線４との間で、基材シート２と長繊維の層３とが切断されて、短い切断部５が形成されている。この切断部５は間隔を開けて直線状に並ぶミシン目状となっている。
【００２４】
図１（Ｂ）に示すように、前記切断部５において切断された長繊維の層３は接合線４によって基材シート２に接合されているため、前記接合線４から切断部５まで延びる層３ａによって刷毛状部６が形成される。また、層３ａと３ａとの間に、切断されていない長繊維の層３ｂが残る。
【００２５】
図２に示すように、清掃用物品１は清掃用モップ１０に取り付けられて使用することができる。清掃用モップ１０は、清掃プレート１１に柄１２が取り付けられている。本発明の清掃用物品１は、刷毛状部６が前記清掃プレート１１の床などの被清掃物の対向面に設置され、清掃用物品の両側部が清掃プレート１１の上面に巻き上げられ、保持クリップ１３、１３により保持される。
【００２６】
この清掃用物品１で床などを掃くと、刷毛状部６によって埃などが掃かれ、切断されていない層３ｂの側部に形成される繊維のポケット１６で埃などを捕集できる。
【００２７】
前記長繊維は、ポリエチレン、ポリプロピレン、ポリエステルなどから製造される。例えば、芯がポリエステル、鞘がポリエチレンの複合繊維を用いることが好ましいが、芯と鞘がポリエステルの複合繊維、芯がポリエステル、鞘がポリプロピレンの複合繊維、芯と鞘がポリプロピレンの複合繊維、芯がポリプロピレン、鞘がポリエチレンの複合繊維などを使用できる。またはポリエチレン、ポリプロピレン、ポリエステルなどの単独樹脂で形成された繊維であってもよい。
【００２８】
前記長繊維は、溶融樹脂が押出されることで連続繊維となり、この連続繊維が集束されて束となってＴＯＷ（トウ）が製造され、さらに、ＴＯＷに捲縮が与えられる。図１と図２に示す清掃用物品の製造工程では、前記ＴＯＷが開繊されてそれぞれの長繊維がばらばらとされ、この長繊維が均一な嵩を有するように所定の幅に広げられ、基材シート２の上に重ねられて、接合線４と切断部５が形成される。
【００２９】
本発明の清掃用物品１に用いられる前記長繊維には、ＴＯＷに収束される前の工程において、２種以上混合した非イオン性の界面活性剤が塗布される。この塗布は、例えば、紡糸工程において前記混合された界面活性剤を浸したローラを繊維と接触させることにより行われる。
【００３０】
前記界面活性剤では、第１種の界面活性剤として、清掃用物品１で床や家具やガラスなどを拭いたときに、繊維がある程度帯電して、静電気により埃を吸着する効果を発揮できるように繊維表面が過剰に平滑にならず、またＴＯＷへ集束できるようにするためにも、繊維表面が過剰に平滑にならないものを用いる。そして第２種の界面活性剤として、ＴＯＷへの繊維の集束工程や、清掃用物品の製造工程において、摩擦により繊維が帯電しすぎて繊維が製造ラインに付着して繊維が切れるなどのトラブルが発生しない程度に繊維表面が平滑になるように調整できるものを使用する。
【００３１】
本発明では、非イオン性の界面活性剤としてポリオキシエチレン（ＰＯＥ）脂肪酸エステルが用いられるが、ＰＯＥ脂肪酸エステルでは、前記脂肪酸の炭素数が多いほど界面活性剤としての平滑化の機能が高くなる。
【００３２】
そこで前記第１種の界面活性剤として、低炭素数の例えば炭素数が５〜１５の脂肪酸のポリオキシエチレン（ＰＯＥ）モノエステルを用い、第２種の界面活性剤として前記ＰＯＥモノエステルよりも比較的炭素数の多い脂肪酸のＰＯＥエステルを用いている。この第２種の界面活性剤としては、炭素数が１６〜２２の飽和脂肪酸のＰＯＥモノエステル、炭素数が１６〜２２の不飽和脂肪酸のＰＯＥモノエステル、炭素数が１６〜２２の不飽和脂肪酸のＰＯＥジエステル、炭素数が１２〜１５の飽和脂肪酸のＰＯＥジエステルから選ばれる１種以上を用いる。
【００３３】
このように、非イオン性の界面活性剤を混合して使用することで、製造ラインでの糸と機械との摩擦とを減らし、糸切れ等のトラブルを起きにくくし、且つ繊維がＴＯＷに収束できるようにし、また清掃用物品としては、清掃時に摩擦により適度に帯電し埃を吸着できるようにしている。
【００３４】
ここで、ポリオキシエチレン（ＰＯＥ）脂肪酸モノエステルは以下の化１で表され、ポリオキシエチレン（ＰＯＥ）脂肪酸ジエステルは以下の化２で表される。ただし、Ｒはいずれも炭化水素基を示す。
【００３５】
【化１】
0004083978.tif 000002
【００３６】
【化２】
0004083978.tif 000003
【００３７】
また、脂肪酸の炭素数とは、飽和脂肪酸の場合ＣnＨ2nＯ2で表したときのｎであり、不飽和脂肪酸の場合は、ＣnＨ2n-2Ｏ2もしくはＣnＨ2n-4Ｏ2で表したときのｎである。
【００３８】
炭素数５〜１５の脂肪酸としては、カプロン酸、カプリル酸、カプリン酸、ウンデカン酸、ラウリン酸、ミリスチン酸等が挙げられ、炭素数１６〜２２の脂肪酸としては、パルミチン酸、ステアリン酸、ベヘン酸、オレイン酸、リノール酸、エルカ酸等が挙げられる。
【００３９】
本発明の好ましい実施の形態では、界面活性剤として、炭素数５〜１５の脂肪酸の構成比率の高いやし油脂肪酸のＰＯＥモノエステルが使用される。
【００４０】
上記やし油脂肪酸には、飽和脂肪酸が以下の比率で含まれる。例えば、カプロン酸（６）が０〜０．８％、カプリル酸（８）が５．５〜９．５％、カプリン酸（１０）が４．５〜９．５％、ラウリン酸（１２）が４４〜５２％、ミリスチン酸（１４）が１３〜１９％、パルミチン酸（１６）が７．５〜１０．５％、ステアリン酸（１８）が１〜３％、アラキン酸（２０）が５〜８％含まれる。ただし、かっこ内の数字は脂肪酸の炭素数である。
【００４１】
さらに、やし油脂肪酸には、不飽和脂肪酸が以下の比率で含まれる。例えば、ヘキサデセン酸（１６）が０〜０．４％、オレイン酸（１８）が５〜８％、リノール酸（１８）が１．５〜２．５％、不ケン化物が０．１５〜０．６％含まれる。ただし、かっこ内の数字は、不飽和脂肪酸の炭素数である。
【００４２】
本発明の好ましい実施の形態では、前記界面活性剤として、前記やし油脂肪酸を含むＰＯＥモノエステルに、炭素数が１６〜２２、好ましくは炭素数が１８〜２２の不飽和脂肪酸のＰＯＥジエステルが混合されたものが使用される。前記炭素数１６〜２２の不飽和脂肪酸としては、オレイン酸、リノール酸、リノレン酸、エルカ酸などが挙げられる。または、前記界面活性剤として、前記やし油脂肪酸を含むＰＯＥモノエステルに、炭素数が１２〜１５の飽和脂肪酸のＰＯＥジエステルが混合されたものが使用される。
【００４３】
また、好ましくは、やし油脂肪酸から主たる飽和脂肪酸のみ、または飽和脂肪酸と不飽和脂肪酸を選択し、これを調合して、炭素数が５〜１５の飽和脂肪酸のＰＯＥモノエステルを質量比で７５〜８５％含み、残りが炭素数が１６〜２２の飽和脂肪酸のＰＯＥモノエステルを含む混合物を調整する。または炭素数が５〜１５の飽和脂肪酸のＰＯＥモノエステルを質量比で７５〜８５％含み、残りが炭素数が１６〜２２の飽和脂肪酸のＰＯＥモノエステルおよび炭素数が１６〜２２の不飽和脂肪酸のＰＯＥモノエステルを含む混合物を調整する。
【００４４】
そして、前記の調整した混合物に、炭素数が１６〜２２の不飽和脂肪酸のＰＯＥジエステル、または炭素数が１２〜１５の飽和脂肪酸のＰＯＥジエステルを質量比で５〜４０％混合させたものを使用する。
【００４５】
その結果、炭素数が５〜１５の脂肪酸のポリオキシエチレン（ＰＯＥ）モノエステルを質量比で４５〜７６％含み、残りとして、炭素数が１６〜２２の飽和脂肪酸のＰＯＥモノエステル、炭素数が１６〜２２の不飽和脂肪酸のＰＯＥモノエステル、炭素数が１６〜２２の不飽和脂肪酸のＰＯＥジエステル、炭素数が１２〜１５の飽和脂肪酸のＰＯＥジエステルから選ばれる１種以上を含む混合物を得ることができる。
【００４６】
なお、いずれも、ポリオキシエチレンエステルのエチレンオキシドの付加モル数は２〜５０の範囲で選択できる。ただし、この付加モル数は、前記化１のｍの値である。
【００４７】
前記清掃用物品において、界面活性剤の繊維への付着量は、繊維の質量に対する非イオン性界面活性剤の塗布質量比が０．１〜０．５％が好ましく、さらに好ましくは０．３〜０．７％である。０．１％以下であると繊維の製造工程や繊維の加工工程において必要な制電性や平滑性が維持できなくなり、１．５％以上であると繊維油剤が繊維から剥がれ落ちやすくなる。
【００４８】
なお、繊維の加工工程において、拭き取り効果を増長させるために、繊維の表面に帯電防止効果の無い着塵剤を付着させてもよい。例えば流動パラフィン、パラフィンワックス、接着性樹脂などが挙げられる。また、本発明における清掃用物品に、例えば他に消臭剤、保湿剤、抗菌剤等の物質を付着させることができる。
【００４９】
なお、本発明の清掃用物品は、図１に示すように、基材シートに長繊維層を重ねたものに限られず、基材シートに所定長の単繊維を重ねて溶着したもの、清掃面となる表面に前記繊維で形成されたエアースルー不織布やポイントボンド不織布などのようにウォータジェット処理を施さない（界面活性剤が脱落しない）不織布を用いたもの、前記繊維が刷毛状に取付けられたもの、前記繊維を撚った糸が多数本植設されてモップ状とされたものなどであってもよい。
【００５０】
また、前記の混合した非イオン性界面活性剤を塗布した繊維に、他の素材を複合させて清掃用物品を形成してもよい。ただし、前記他の素材には、帯電防止効果の高い界面活性剤が塗布されていないことが好ましい。
【００５１】
【実施例】
以下、実施例をあげて本発明を説明するが、本発明はこれに限定されるものではない。
【００５２】
紡糸工程において、繊維の表面に界面活性剤として表1に示す非イオン性の界面活性剤の混合物を付着させ、この繊維（長繊維；連続繊維）で図１に示す清掃用物品を製造した。
【００５３】
【表１】
0004083978.tif 000004
【００５４】
前記Ａは、やし油脂肪酸を用いたＰＯＥエステルの混合物であり、炭素数５〜１５の範囲の飽和脂肪酸のＰＯＥモノエステルが８０質量％、炭素数１６〜２０の範囲の飽和脂肪酸のＰＯＥモノエステルが１２質量％、炭素数１８〜２２の範囲の不飽和脂肪酸のＰＯＥモノエステルが８質量％含まれたポリオキシエチレンモノエステルの混合物である。
【００５５】
前記Ｂは、やし油脂肪酸の主たる飽和脂肪酸を選択して調合して、炭素数５〜１５の範囲の飽和脂肪酸のＰＯＥモノエステルが７５質量％、炭素数１６〜２０範囲の飽和脂肪酸のＰＯＥモノエステルが２５質量％含まれたポリオキシエチレンモノエステルの混合物である。
【００５６】
前記Ｃは、やし油脂肪酸の比較的炭素数の少ない飽和脂肪酸を選択して調合したものであり、炭素数が１２〜１５の飽和脂肪酸のＰＯＥモノエステルの混合物である。
【００５７】
前記Ｘは、炭素数が１８〜２２の範囲のオレイン酸のＰＯＥジエステルの混合物、前記Ｙは炭素数が１２〜１５の飽和脂肪酸のＰＯＥジエステルの混合物である。
【００５８】
前記界面活性剤を選択して混合し、紡糸工程で前記界面活性剤を塗布し、このときの繊維からＴＯＷへの加工工程、および清掃用物品の製造工程における加工適性と、清掃用物品の静電気によるほこり取れ性について実験を行った。ここで用いた繊維は、芯がポリエステルで鞘がポリエチレンの複合繊維である。
【００５９】
ただし、加工適性は、繊維を紡糸、延伸、捲縮付与等の繊維製造工程から開繊、接合等のシート製造工程まで行い、そのときの繊維のトラブルの発生状況を目視にて確認した。評価方法は次のとおりである。○：加工行程中のトラブルが少なく、繊維、シートとも生産可能なレベル、△：繊維製造工程とシート製造工程のいずれか一方あるいは双方で若干トラブルが発生するが生産可能なレベル、×：繊維製造工程とシート製造工程の一方あるいは双方でトラブルが多く発生し、生産不可能なレベル。
【００６０】
また、静電気発生によるほこり取れ性は、前記で得られた図１に示す清掃用物品を図２に示すように柄に取り付け、ビニルフロアの上を５回程度往復させて静電気を発生させた。発生した静電気量を静電気量測定計で測定した。なお、別の試験より、約１０００Ｖ／インチの静電気が発生すると、直径１０ｍｍ程度の綿ほこりが約２０ｍｍ離れた位置から吸い寄せられるといった、発生静電気量とほこりとの吸着関係を得ている。この結果より１０００Ｖ／インチの静電気が発生すればほこりの吸着能力としては十分であることが確認された。この試験結果を基準としてシートの静電気発生量の測定を行った。評価方法は次のとおりである。○：試験直後に十分な電荷が発生し、５秒後も１０００Ｖ／インチ以上を維持した、△：試験直後は十分な電荷が発生し、５秒後には１０００Ｖ／インチ以下に低下した、×：試験直後でも１０００Ｖ／インチ以下の静電気しか発生しない。
【００６１】
以下、使用した界面活性剤の混合比と前記実験の結果を表２及び表３に示す。なお、表２と表３では、各界面活性剤の混合比率を質量％で示すとともに、各界面活性剤を混合した結果、炭素数が５〜１５の範囲に含まれる飽和脂肪酸のＰＯＥモノエステル、炭素数が１６〜２０の範囲に含まれる飽和脂肪酸のＰＯＥモノエステル、炭素数が１８〜２２の範囲に含まれる不飽和脂肪酸のＰＯＥモノエステル、炭素数が１８〜２２の範囲に含まれる不飽和脂肪酸のＰＯＥジエステル、炭素数が１２〜１５の範囲に含まれる飽和脂肪酸のＰＯＥジエステルがどのような配合比となったかを、それぞれの質量比で表している。
【００６２】
【表２】
0004083978.tif 000005
【００６３】
前記表２の結果以下のことが明らかである。
（１）界面活性剤Ａと界面活性剤Ｘを用いた実施例１ないし実施例４から、炭素数が５〜１５の範囲に含まれる飽和脂肪酸のＰＯＥモノエステルを質量比で４８〜７６％含むことが好ましく、さらには４８〜６８％含むことが好ましい。また炭素数が１８〜２２の範囲に含まれる不飽和脂肪酸のＰＯＥジエステルを５〜４０％含むことが好ましく、さらに１５〜４０％含むことが好ましい。
【００６４】
（２）界面活性剤Ａと界面活性剤Ｙを用いた実施例５ないし実施例８から、炭素数が５〜１５の範囲に含まれる飽和脂肪酸のＰＯＥモノエステルを質量比で４８〜７６％含むことが好ましく、さらには４８〜６８％含むことが好ましい。また炭素数が１２〜１５の範囲に含まれる飽和脂肪酸のＰＯＥジエステルを５〜４０％含むことが好ましく、さらに１５〜４０％含むことが好ましい。
【００６５】
（３）界面活性剤Ｂと界面活性剤Ｘを用いた実施例９ないし実施例１２から、炭素数が５〜１５の範囲に含まれる飽和脂肪酸のＰＯＥモノエステルを質量比で４５〜７２％含むことが好ましく、さらには４５〜６４％含むことが好ましい。また炭素数が１８〜２２の範囲に含まれる不飽和脂肪酸のＰＯＥジエステルを５〜４０％含むことが好ましく、さらに１５〜４０％含むことが好ましい。
【００６６】
【表３】
0004083978.tif 000006
【００６７】
前記表３の結果以下のことが明らかである。
（４）界面活性剤Ｃと界面活性剤Ｘを用いた実施例１３ないし実施例１５から、炭素数が５〜１５の範囲に含まれる飽和脂肪酸のＰＯＥモノエステルを質量比で５０〜７０％含むことが好ましく、さらには５０〜６０％含むことが好ましい。また炭素数が１８〜２２の範囲に含まれる不飽和脂肪酸のＰＯＥジエステルを３０〜５０％含むことが好ましく、さらに４０〜５０％含むことが好ましい。
【００６８】
【発明の効果】
以上説明したように本発明によれば、生産ラインでは繊維が過剰に帯電することがなく、しかも製品としては塵や埃などを吸着する効果を発揮できる清掃用物品が得られる。
【００６９】
また、製造ラインでの集束性に支障がなく、且つ生産ラインでの繊維の帯電を防止し、さらに使用時に適度の帯電状態にできる清掃用物品が得られる。
【図面の簡単な説明】
【図１】（Ａ）は本発明の清掃用物品の一例を示す斜視図、（Ｂ）は（Ａ）の部分拡大図、
【図２】本発明の清掃用物品を清掃用具に搭載した状態を示す斜視図、
【符号の説明】
１  清掃用物品
２  基材シート
３  長繊維の層
４  接合線
【図１】
0004083978.tif 000007
【図２】
0004083978.tif 000008